(57)【特許請求の範囲】
【請求項１】
受信される番組を絶えず記録する記録媒体と、
上記記録媒体への上記記録と上記記録媒体からの再生とを並行して行うように制御する記録媒体制御手段と、
上記再生による映像が表示されている間、該再生による映像が表示されていることを通知し、該再生による映像が上記記録媒体へ記録された時刻を示す表示と、移動して見えるように常に変化することで現在時刻の変化を示す表示とを組み合わせて表示させる通知手段と
を有し、
上記記録媒体制御手段は、上記記録媒体からの再生を、記録時の速度に対して高速に再生するように制御し、
該再生による映像が上記受信される映像に追いついたら、該再生による映像の全画面表示から該受信される映像の全画面表示に切り換えるようにした
ことを特徴とする映像表示装置。
【請求項２】
請求項１に記載の映像表示装置において、
上記通知手段による上記通知は、上記受信されるテレビジョン放送と上記再生による映像との時間差の表示であることを特徴とする映像表示装置。
【請求項３】
請求項２に記載の映像表示装置において、
上記時間差の表示は、アイコンによってなされることを特徴とする映像表示装置。
【請求項４】
受信される番組を絶えず記録する記録媒体と、
上記記録媒体への上記記録と上記記録媒体からの再生とを並行して行うように制御する記録媒体制御手段と、
上記受信される番組による映像を静止させて表示する静止映像表示手段と、
上記静止による映像が表示されている間、該静止による映像が表示されていることを通知し、該静止による映像が上記記録媒体へ記録された時刻を示す表示と、移動して見えるように常に変化することで現在時刻の変化を示す表示とを組み合わせて表示させる通知手段と
を有し、
上記記録媒体制御手段は、上記記録媒体からの再生を、上記静止させた場面から記録時の速度に対して高速に再生するように制御し、
該再生による映像が上記受信される映像に追いついたら、該再生による映像の全画面表示から該受信される映像の全画面表示に切り換えるようにした
を有することを特徴とする映像表示装置。
【請求項５】
請求項４に記載の映像表示装置において、
上記通知手段による上記通知は、上記受信されるテレビジョン放送と上記静止による映像との時間差の表示であることを特徴とする映像表示装置。
【請求項６】
請求項５に記載の映像表示装置において、
上記時間差の表示は、アイコンによってなされることを特徴とする映像表示装置。
【請求項７】
受信される番組を絶えず記録媒体に記録するステップと、
上記記録媒体への上記記録と上記記録媒体からの再生とを並行して行うように制御する制御のステップと、
上記再生による映像が表示されている間、該再生による映像が表示されていることを通知し、該再生による映像が上記記録媒体へ記録された時刻を示す表示と、移動して見えるように常に変化することで現在時刻の変化を示す表示とを組み合わせて表示させるステップと
を有し、
上記制御のステップは、上記記録媒体からの再生を、記録時の速度に対して高速に再生するように制御し、
該再生による映像が上記受信される映像に追いついたら、該再生による映像の全画面表示から該受信される映像の全画面表示に切り換えるようにした
ことを特徴とする映像表示方法。
【請求項８】
受信される番組を絶えず記録媒体に記録するステップと、
上記記録媒体への上記記録と上記記録媒体からの再生とを並行して行うように制御する制御のステップと、
上記番組による映像を静止させて表示するステップと、
上記静止による映像が表示されている間、該静止による映像が表示されていることを通知し、該静止による映像が上記記録媒体へ記録された時刻を示す表示と、移動して見えるように常に変化することで現在時刻の変化を示す表示とを組み合わせて表示させるステップと
を有し、
上記制御のステップは、上記記録媒体からの再生を、上記静止させた場面から記録時の速度に対して高速に再生するように制御し、
該再生による映像が上記受信される映像に追いついたら、該再生による映像の全画面表示から該受信される映像の全画面表示に切り換えるようにした
ことを特徴とする映像表示方法。
【発明の詳細な説明】
【０００１】
【発明の属する技術分野】
この発明は、リアルタイムで供給される映像が絶えず記録される記録媒体を有し、この記録媒体から再生された、リアルタイム映像と時差のある再生映像を明示的に表示する映像表示装置および方法に関する。
【０００２】
【従来の技術】
テレビジョン放送を楽しんでいる最中に、突然、電話の呼出しが鳴ったり、来客があり、放送番組を見逃してしまうことが良くある。テレビジョン放送番組を見逃してしまうと、再放送される番組を除いて、その番組は二度と見ることはできない。短期間のうちに再放送される番組はまれであり、ニュース番組やスポーツ番組は、殆どの場合には、再放送されていない。したがって、多くの場合、テレビジョン放送番組を見逃してしまうと、その番組は二度と見ることはできないことになる。
【０００３】
また、映画やドラマの名場面、重要人物のインタビュー、スポーツ番組のハイライトシーン等、放送番組を見ていて、保存しておきたい場面が突然に始まる場合がある。このような場合、直ちにＶＴＲをセットしても、その場面に間に合わず、その場面を録画できないようなことが良くある。
【０００４】
そこで、本願発明者は、放送番組を見ている最中に、その番組を絶えず記録媒体に記録するようなテレビジョン受像機を提案している。このようなテレビジョン受像機では、突然の電話の呼出しや来客があっても、その番組を遡って再生することができ、番組を見逃すことがなくなる。また、その番組を簡単に保存しておくことができ、記録しておきたい番組が突然始まっても対処できる。
【０００５】
また、本願発明者は、このように番組を絶えず記録媒体に記録するようなテレビジョン受像機における記録媒体として、ハードディスクドライブを用いることを提案している。従来、ビデオ信号を記録する記録媒体としては、磁気テープが広く用いられている。ところが、磁気テープはアクセス速度が遅く、このようなテレビジョン受像機に用いられる記録媒体として用いるのは困難である。また、半導体メモリを用いることが考えられるが、大容量の半導体メモリは非常に高価であると共に、半導体メモリでは、電源が落とされると保存しておいた番組が消えてしまい、番組を長く保存しておくような場合に不向きである。これに対して、ハードディスクドライブは、大容量で、アクセス速度も十分に速い。
【０００６】
このような、番組を絶えず記録媒体に記録するようなテレビジョン受像機では、受信されたテレビジョン放送電波に基づくビデオ信号がディジタル映像音声信号に変換され、所定の方法で圧縮符号化されハードディスクドライブに対して記録される。ビデオデータの圧縮符号化には、例えばモーションＪＰＥＧが用いられる。一方、音声信号についても、所定の方法でディジタルデータとされ圧縮符号化され記録される。
【０００７】
図１２は、この従来技術による、番組を絶えず記録媒体に記録するようなテレビジョン受像機の動作の一例を示す。図１２Ａに示されるようなテレビジョン放送がチューナで受信される。以降、チューナで受信されるこのテレビジョン放送をリアルタイム放送と称し、ハードディスクドライブから再生されるテレビジョン放送による映像と区別する。受信された信号は、上述のような処理を施され、リアルタイムで常時ハードディスクドライブに対して書き込まれ記録される。
【０００８】
ここで、ユーザがリアルタイム放送を視聴中に、見逃した場面があり、所定の方法、例えばリモートコマンダからの指示により、この見逃した場面の再生を行う場合について考える。例えば、図１２において、区間ａ2 が終了した時点Ａでユーザからテレビジョン受像機に対して、見逃した場面の再生の指示が出される。すると、テレビジョン受像機では、指示が出された時点Ａから、予め設定される時間ｔ0 だけ遡って、区間ａ0 〜区間ａ2 の圧縮データがハードディスクドライブから読み出される。読み出された圧縮データは、順次、圧縮伸長処理など所定の処理を介して、時点Ａから開始される再生映像音声信号とされる（図１２Ｂ）。なお、この再生映像音声信号の開始されるタイミングは、実際には、信号処理の関係上、多少の遅れを伴う。
【０００９】
こうして得られた再生映像音声信号は、映像信号についてはテレビジョン受像機の映像モニタに、また、音声信号についてはスピーカによって再生される。これらハードディスクドライブから読み出された区間ａ0 〜区間ａ2 の再生映像音声信号は、図１２Ｃに示されるように、時点Ａから再生され、この例では、リアルタイム放送の区間ａ3 〜区間ａ5 と置き替えられて再生される。区間ａ0 〜区間ａ2 の再生が終了すると、モニタ映像およびスピーカ音声は、リアルタイム放送によるものに戻る。
【００１０】
【発明が解決しようとする課題】
ところが、この従来技術による、番組を絶えず記録媒体に記録するようなテレビジョン受像機では、現在より遡り、ハードディスクドライブから再生され映像モニタに対して映出された映像に対して、そのことを示す何ら特別な表示がなされていなかった。そのため、ユーザは、現在視聴している映像が実際に現在放送されている映像なのか、あるいは、過去にハードディスクドライブに記録され、実際の放送よりも遅れた映像なのかを、容易に認識することができないという問題点があった。
【００１１】
したがって、この発明の目的は、番組を絶えず記録媒体に記録するようなテレビジョン受像機に用いて好適な、現在表示されている映像が実際の放送よりも遅れた映像であることが明示的に表示されるような映像表示装置および方法を提供することにある。
【００１２】
【課題を解決するための手段】
この発明は、上述した課題を解決するために、受信される番組を絶えず記録する記録媒体と、記録媒体への記録と記録媒体からの再生とを並行して行うように制御する記録媒体制御手段と、再生による映像が表示されている間、該再生による映像が表示されていることを通知し、該再生による映像が記録媒体へ記録された時刻を示す表示と、移動して見えるように常に変化することで現在時刻の変化を示す表示とを組み合わせて表示させる通知手段とを有し、記録媒体制御手段は、記録媒体からの再生を、記録時の速度に対して高速に再生するように制御し、該再生による映像が受信される映像に追いついたら、該再生による映像の全画面表示から該受信される映像の全画面表示に切り換えるようにしたことを特徴とする映像表示装置である。
【００１３】
また、この発明は、上述した課題を解決するために、受信される番組を絶えず記録する記録媒体と、記録媒体への記録と記録媒体からの再生とを並行して行うように制御する記録媒体制御手段と、受信される番組による映像を静止させて表示する静止映像表示手段と、静止による映像が表示されている間、該静止による映像が表示されていることを通知し、該静止による映像が記録媒体へ記録された時刻を示す表示と、移動して見えるように常に変化することで現在時刻の変化を示す表示とを組み合わせて表示させる通知手段とを有し、記録媒体制御手段は、記録媒体からの再生を、静止させた場面から記録時の速度に対して高速に再生するように制御し、該再生による映像が受信される映像に追いついたら、該再生による映像の全画面表示から該受信される映像の全画面表示に切り換えるようにしたを有することを特徴とする映像表示装置である。
【００１４】
また、この発明は、上述した課題を解決するために、受信される番組を絶えず記録媒体に記録するステップと、記録媒体への記録と記録媒体からの再生とを並行して行うように制御する制御のステップと、再生による映像が表示されている間、該再生による映像が表示されていることを通知し、該再生による映像が記録媒体へ記録された時刻を示す表示と、移動して見えるように常に変化することで現在時刻の変化を示す表示とを組み合わせて表示させるステップとを有し、制御のステップは、記録媒体からの再生を、記録時の速度に対して高速に再生するように制御し、該再生による映像が受信される映像に追いついたら、該再生による映像の全画面表示から該受信される映像の全画面表示に切り換えるようにしたことを特徴とする映像表示方法である。
【００１５】
この発明は、上述した課題を解決するために、受信される番組を絶えず記録媒体に記録するステップと、記録媒体への記録と記録媒体からの再生とを並行して行うように制御する制御のステップと、番組による映像を静止させて表示するステップと、静止による映像が表示されている間、該静止による映像が表示されていることを通知し、該静止による映像が記録媒体へ記録された時刻を示す表示と、移動して見えるように常に変化することで現在時刻の変化を示す表示とを組み合わせて表示させるステップとを有し、制御のステップは、記録媒体からの再生を、静止させた場面から記録時の速度に対して高速に再生するように制御し、該再生による映像が受信される映像に追いついたら、該再生による映像の全画面表示から該受信される映像の全画面表示に切り換えるようにしたことを特徴とする映像表示方法である。
【００１６】
上述したように、この発明は、記録媒体から再生された映像、あるいは静止映像が表示されている際に、その旨通知するようにされているため、ユーザは、現在映出されている映像が受信されたテレビジョン放送によるものかどうかを容易に知ることができる。
【００１７】
【発明の実施の形態】
以下、この発明の実施の一形態を、図面を参照しながら説明する。図１は、この発明の実施の形態を示すものである。図１において、１はこの発明が適用されたテレビジョン受像機であり、２はこのテレビジョン受像機１を操作するためのリモートコマンダである。画面３に対して映像が映出される。テレビジョン受像機１にはハードディスクドライブ部４が内蔵されている。テレビジョン受像機１で受信中の番組は、常にこのハードディクス部４に記録されている。このようなハードディスクドライブ部４が備えられたテレビジョン受像機では、見逃したシーンや再度見たいシーンを遡って再生したり、所望の番組を記録再生したりというようなことが可能になる。
【００１８】
図２は、このようなテレビジョン受像機１を操作するためのリモートコマンダ２の構成の一例を示すものである。リモートコマンダ２には、テレビジョン受像機１の基本的な設定を行なうための各種のキー、すなわち、テレビジョン受像機１の電源のオン／オフするための電源スイッチ１１、チャンネル設定を行なうためのチャンネルキー１２、１２、１２、・・・、チャンネルアップ／ダウンキー１３Ａ及び１３Ｂ、音量アップ／ダウンキー１４Ａ及び１４Ｂ、入力ソース切り換えスイッチ１５が配設される。
【００１９】
更に、この発明が適用されたテレビジョン受像機１を操作するためのリモートコマンダ２には、テレビジョン受像機１のハードディスクドライブ部４を制御するための各種のキーとして、番組ポーズキー１６、ブックマーク記録キー１７、区間リピートキー１８、キャンセルキー１９、逆転スキップ再生キー２０、逆転高速送りキー２１、２倍速キー２２、正転高速送りキー２３、正転スキップキー２４、オーバービュー検索キー２５、矢印キー２６Ａ、２６Ｂ、決定キー２７が配設される。
【００２０】
番組ポーズキー１６が押されると、受信中の画面がその場で停止され、静止画として表示される。その間、テレビジョン受像機１のハードディスクドライブ部４に、その番組が記録される。番組ポーズキー１６が再び押されると、静止画となっている所の場面から、ハードディスクドライブ部４に記録されている番組が再生される。
【００２１】
ブックマーク記録キー１７が押されると、このとき放送されている番組をテレビジョン受像機１のハードディスクドライブ部４に保存させることができる。
【００２２】
区間リピートキー１８により、リピート再生が設定される。区間リピートキー１８が最初に押されると、リピートの開始位置が設定され、区間リピートキー１８が次に押されると、リピートの終了位置が設定される。
【００２３】
キャンセルキー１９は、設定された動作や機能をキャンセルさせる際に押される。
【００２４】
逆転スキップ再生キー２０、逆転高速送りキー２１、２倍速キー２２、正転高速送りキー２３、正転スキップキー２４は、変速再生を行うためのキーである。ハードディスクドライブ部４に記録されている番組を再生中に、２倍速キー２２が押されると、２倍速で番組が再生される。再び押すことで、通常速度での再生に戻される。正転高速送りキー２３が押されている間、さらに高速の再生がなされる。正転スキップキー２４が押されると、再生映像がスキップされる。また、逆転高速送りキー２１が押されている間、高速に逆転再生が行われる。逆転スキップ再生キー２０が押されると、再生映像が逆転方向にスキップされる。
【００２５】
オーバービュー検索キー２５、矢印キー２６Ａ、２６Ｂ、決定キー２７は、番組検索に用いられる。オーバービュー検索キー２５が押されると、テレビジョン受像機１の画面３が、中央の画面と、周囲の複数の小画面とに分割される。周囲の小画面には、ハードディスクドライブに記録されている画面の中から、所定時間毎の画面が表示される。矢印キー２６Ａ及び２６Ｂの操作により、複数の画面の中から、所望の画面が選択され、見たい場面が検索されると、決定キー２７が押される。決定キー２７が押されると、選択された画面から再生が開始される。
【００２６】
図３は、この発明が適用されたテレビジョン受像機１の構成の一例を示すものである。図３において、アンテナ５１で受信された受信信号は、チューナ回路５２に供給される。チューナ回路５２には、システムコントローラ５０からチャンネル設定信号が供給される。チューナ回路５２で、このチャンネル設定信号に基づいて、所望の受信チャンネルの信号が選択され、この信号が中間周波数信号に変換される。
【００２７】
チューナ回路５２の出力が映像中間周波数回路５３に供給される。映像中間周波数回路５３で、チューナ回路５２からの中間周波数信号が増幅され、この信号がビデオ検波される。これにより、例えばＮＴＳＣ方式のコンポジットビデオ信号が得られる。このビデオ信号がビデオソース切り替えスイッチ５５の一方の入力端子５５Ａに供給される。また、中間周波数回路５３の出力の例えば４．５ＭＨｚのビート成分から音声信号が検波される。この出力が音声復調回路６２に供給される。
【００２８】
ビデオソース切り替えスイッチ５５の他方の入力端子５５Ｂには、外部ビデオ入力端子５６からのビデオ信号が供給される。ビデオソース切り替えスイッチ５５には、システムコントローラ５０からセレクト信号が供給される。ビデオソース切り替えスイッチ５５により、受信されたテレビジョン放送に基づくビデオ信号と、外部ビデオ入力端子５６からのビデオ信号とが切り替えられる。
【００２９】
ビデオソース切り替えスイッチ５５の出力がビデオ信号処理回路５７に供給される。ビデオ信号処理回路５７により、ＮＴＳＣ方式のコンポジットビデオ信号から輝度信号Ｙとクロマ信号Ｃとが分離され、更に、クロマ信号Ｃから色差信号Ｕ、Ｖが復調され、コンポーネントビデオ信号Ｙ、Ｕ、Ｖが形成される。このコンポーネントビデオ信号Ｙ、Ｕ、Ｖは、スイッチ回路５８の端子５８Ａに供給されると共に、Ａ／Ｄコンバータ７１に供給される。スイッチ回路５８の他方の入力端子５８Ｂには、Ｄ／Ａコンバータ８５の出力が供給される。
【００３０】
スイッチ回路５８は、受信しているテレビジョン放送又は外部ビデオ入力端子５６からのビデオ信号に基づく画面と、ハードディスクドライブ８０（ハードディスクドライブ部４に対応する）からの再生画面とを切り替えるためのものである。スイッチ回路５８は、記録／再生コントローラ７７により制御される。すなわち、記録／再生コントローラ７７からの制御信号がシステムコントローラ５０を介してスイッチ回路５８に対して供給される。受信しているテレビジョン放送又は外部ビデオ入力端子５６からのビデオ信号に基づく画面を映出する場合には、スイッチ回路５８が端子５８Ａ側に切り替えられる。ハードディスクドライブ８０からの再生画面を映出する場合には、スイッチ回路５８が端子５８Ｂ側に切り替えられる。
【００３１】
スイッチ回路５８の出力が映像出力回路５９に供給される。映像出力回路５９は、スイッチ回路５８からのコンポーネットビデオ信号Ｙ，Ｕ，Ｖから、３原色信号Ｒ，Ｇ，Ｂを形成するマトリクス回路と、この３原色信号Ｒ，Ｇ，Ｂをドライブしてカラー受像管６１に供給するための映像増幅回路とを有する。映像出力回路５９で、スイッチ回路５８からのコンポーネットビデオ信号Ｙ，Ｕ，Ｖが３原色信号Ｒ，Ｇ，Ｂに変換され、カラー受像管６１に供給される。
【００３２】
また、中間周波数回路５３の出力の例えば４．５ＭＨｚのビート成分から検波れた音声信号は、音声復調回路６２に供給される。音声復調回路６２で、オーディオ信号が復調される。このオーディオ信号がオーディオソース切り替えスイッチ６３の入力端子６３Ａに供給される。
【００３３】
オーディオソース切り替えスイッチ６３の他方の端子６３Ｂには、外部オーディオ入力端子６４からのオーディオ信号が供給される。オーディオソース切り替えスイッチ６３により、受信されたテレビジョン放送に基づくオーディオ信号と、外部オーディオ入力端子６４からのオーディオ信号とが選択される。
【００３４】
オーディオソース切り替えスイッチ６３の出力は、スイッチ回路６５の端子６５Ａに供給されると共に、Ａ／Ｄコンバータ７５に供給される。スイッチ回路６５の他方の入力端子６５Ｂには、Ｄ／Ａコンバータ８７の出力が供給される。
【００３５】
スイッチ回路６５は、受信しているテレビジョン放送又は外部オーディオ入力端子６４からのオーディオ信号と、ハードディスクドライブ８０から再生されたオーディオ信号との切り替えを行なうものである。スイッチ回路６５は、記録／再生コントローラ７７により制御される。すなわち、記録／再生コントローラ７７からの制御信号がシステムコントローラ５０を介してスイッチ回路６５に対して供給される。受信しているテレビジョン放送又は外部オーディオ入力端子６４からのオーディオ信号を出力する場合には、スイッチ回路６５が端子６５Ａ側に切り替えられる。ハードディスクドライブ８０からのオーディオ信号を出力する場合には、スイッチ回路６５が端子６５Ｂ側に切り替えられる。
【００３６】
スイッチ回路６５の出力がオーディオアンプ６６に供給される。オーディオアンプ６６で、スイッチ回路６５からのオーディオ信号が増幅される。このオーディオ信号がスピーカ６７に供給される。
【００３７】
ビデオ信号処理回路５７からのコンポーネントビデオ信号Ｙ，Ｕ，Ｖは、Ａ／Ｄコンバータ７１に供給される。Ａ／Ｄコンバータ７１で、ビデオ信号処理回路５７からのコンポーネントビデオ信号がディジタル化される。Ａ／Ｄコンバータ７１の出力がフィールドメモリ７２に供給される。この実施の一形態においては、ビデオデータは、間引き率が１／４で間引きされる。したがって、フィールドメモリ７２には、４フィールド毎にビデオデータが書き込まれる。
【００３８】
フィールドメモリ７２の出力が画像圧縮回路７３に供給される。画像圧縮回路７３で、このコンポーネントビデオ信号が圧縮される。画像の圧縮方式としては、例えば、モーションＪＰＥＧが用いられる。画像圧縮回路７３で圧縮されたビデオデータは、例えばＦＩＦＯ(First In,First Out)からなるバッファメモリ７４に一時的に書き込まれる。
【００３９】
オーディオソース切り替え回路６３からのオーディオ信号は、Ａ／Ｄコンバータ７５に供給される。Ａ／Ｄコンバータ７５で、オーディオソース切り替え回路６３からのオーディオ信号がディジタル化される。Ａ／Ｄコンバータ７５の出力が音声圧縮回路７６に供給される。音声圧縮回路７６で、オーディオ信号が圧縮される。音声の圧縮方式としては、例えば、ノンリニアＰＣＭが用いられる。音声圧縮回路７６で圧縮されたオーディオ信号は、例えばＦＩＦＯ(First In,First Out)からなるバッファメモリ９５に一時的に書き込まれる。
【００４０】
記録／再生コントローラ７７の制御に基づき、バッファメモリ７４および９５からビデオデータおよびオーディオデータが読み出される。読み出されたこれらのデータは、バス７８を介してハードディスクドライブ８０に対して書き込まれる。
【００４１】
このハードディスクドライブ８０に対するデータの書き込みは、間引きされた１フィールド分のビデオデータと、このビデオデータを先頭とする、連続した４フィールド分に対応するオーディオデータとが組み合わされてなる１組のデータを単位としてなされる。連続した４フィールド分のオーディオデータが先頭に格納され、その後ろに、対応するビデオデータが１フィールド分格納される。ハードディスクドライブ８０のアドレスに対して、この１組とされたデータがそれぞれ時系列的に連続して配置される。
【００４２】
ハードディスクドライブ８０に記録されているビデオデータおよびオーディオデータは、記録／再生コントローラ７７の制御の基に、再生される。この再生は、オーディオデータおよびビデオデータとからなる組を単位として、書き込まれた順に、先ずオーディオデータが読み出され、次にビデオデータが読み出される。
【００４３】
なお、この実施の一形態においては、ハードディスクドライブ８０に対するデータの書き込みおよび読み出しは、並行して行われる。これは、書き込みおよび読み出しを、時分割処理することによってなされる。すなわち、ビデオデータの間引き率が１／４であるこの例では、４フィールドが経過する毎に、その間の４フィールド分のオーディオデータおよび１フィールド分のビデオデータが書き込まれる。書き込みが終了し次の書き込みが開始される間は、間隔ｔが存在する。読み出しは、データの書き込みが終了し、次の書き込みが開始されるまでの間になされる。書き込みから読み出し、および読み出しから書き込みまでの間は、ハードディスクドライブ８０のシーク時間ならびに回転待ち時間を考慮した間隔ｔ’が設けられる。
【００４４】
また、読み出しの際に、読み出しデータのアドレスを上述のデータ単位で以て適宜制御することで、段階的な変速再生が可能とされる。すなわち、データを連続的に読み出せば１倍速（通常速度）での再生となり、１つ置きに読み出せば２倍速再生される。同様に、２つ置きに読み出すことで、３倍速再生とされる。
【００４５】
ハードディスクドライブ８０から読み出され再生されたオーディオデータは、バス７８を介して、例えばＦＩＦＯからなるバッファメモリ９６に一時的に書き込まれる。同様に、ハードディスクドライブ８０から読み出され再生されたビデオデータは、バス７８を介して、例えばＦＩＦＯからなるバッファメモリ８１に一時的に書き込まれる。
【００４６】
記録／再生コントローラ７７の制御に基づき、バッファメモリ８１からビデオデータが読み出される。ビデオデータは、間引き率１／４で間引きされているため、４フィールドの間、バッファメモリ８１から同じデータが繰り返し読み出される。読み出されたビデオデータは、画像伸長回路８２に供給される。画像伸長回路８２で、例えばモーションＪＰＥＧで圧縮されていたビデオデータから、コンポーネントビデオデータＹ，Ｕ，Ｖが形成される。画像伸長回路８２の出力が、マルチ画面を形成するための画像処理回路８３、フィールドメモリ８４を介して、Ｄ／Ａコンバータ８５に供給される。Ｄ／Ａコンバータ８５で、ディジタルビデオ信号がアナログビデオ信号に変換される。このＤ／Ａコンバータ８５の出力がスイッチ回路５８の端子５８Ｂに供給される。
【００４７】
また、記録／再生コントローラ７７の制御に基づき、バッファメモリ９６からオーディオデータが読み出される。読み出されたオーディオデータは、音声伸長回路８６に供給される。音声伸長回路８６の出力がＤ／Ａコンバータ８７に供給される。Ｄ／Ａコンバータ８７によりディジタルオーディオ信号がアナログオーディオ信号に変換される。このＤ／Ａコンバータ８７の出力がスイッチ回路６５の端子６５Ｂに供給される。
【００４８】
システムコントローラ５０は、テレビジョン受像機１の全体の制御を行なっている。システムコントローラ５０と、記録／再生処理コントローラ７７とは、双方向に接続される。なお、バス７８に対して、記録／再生コントローラ７７のワーク用としてＲＡＭ７９が接続される。
【００４９】
システムコントローラ５０には、受光部９２を介して、リモートコマンダ２から入力が与えられる。このリモートコマンダ２からの入力に基づいて、各種の動作が設定される。システムコントローラ５０の出力が表示発生回路９４に供給される。表示発生回路９４からは、各種の動作設定状態を示す表示信号が発生される。この表示発生回路９４の出力が映像出力回路５９に供給され、各種の動作状態が画面上に表示される。
【００５０】
次に、この発明による、ハードディスクドライブ８０からのデータの再生動作について説明する。図４は、リアルタイム放送を視聴中に、ユーザの要求に応じて映像を遡り、任意の場面からビデオデータおよびオーディオデータを再生して視聴する例である。当初、スイッチ回路５８および６５では、それぞれ端子５８Ａおよび６５Ａが選択され、画面３（テレビ受像管６１）に対して図４Ａに示される、リアルタイム放送による映像が区間ａ0 ，ａ1 ，・・・と映出され、スピーカ６７からリアルタイム放送に基づく音声が再生される。
【００５１】
例えばユーザが時点Ａで、区間ａ1 の先頭に遡り映像を再生させたいとする。時点Ａでリモートコマンダ２の逆転高速送りキー２１が押される。このコマンドは、受光部９２で受光され、システムコントローラ５０を介して記録／再生コントローラ７７に供給される。記録／再生コントローラ７７でハードディスクドライブ８０の読み出しが制御され、高速での逆転再生がなされる（図４Ｂ）。それと共に、システムコントローラ５０の制御に基づき、スイッチ回路５８および６５で端子５８Ｂおよび６５Ｂがそれぞれ選択される。画面３に映出される映像は、リアルタイム放送による映像からハードディスクドライブ８０から再生された映像に切り替えられる（図４Ｃの時点Ａ）。
【００５２】
ユーザは、画面３に逆転で高速に再生され映出された映像を見て、希望する場面が現れた時点Ｂ（この例では、区間ａ1 の先頭）で逆転高速送りキー２１を離す。すると、その旨システムコントローラ５０を介して記録／再生コントローラ７７に伝えられ、ハードディスクドライブ８０から通常速度でのデータの読み出しがなされる。区間ａ1 からの通常速度で再生された映像が画面３に映出される。
【００５３】
ユーザは、希望した区間ａ1 の再生が終了すると、例えば時点Ｃで、リアルタイム放送による映像に戻るために、例えばリモートコマンダ２のキャンセルキー１９を押す。このキャンセルキー１９によるコマンドがシステムコントローラ５０に供給され、スイッチ回路５８および６５において端子５８Ａおよび６５Ａがそれぞれ選択される。これにより、画面３に映出される映像が、ハードディスクドライブ８０から再生された映像からリアルタイム放送による映像へと切り替えられる。画面３には、リアルタイム放送による区間ａ4 からの映像が映出される。また、それと共に、記録／再生コントローラ７７に対して、ハードディスクドライブ８０からのデータの読み出しを中止するように指示が出される。
【００５４】
図５は、逆転再生を行う場合のディスクアクセスの例について概略的に示す。映像信号および音声信号が図５Ａおよび図５Ｂに示されるように供給される。なお、この図では、区間ｒ0 ，ｒ1 ，・・・、区間ｓ0 ，ｓ1 ，・・・などは、フィールド単位で表されている。入力された映像信号および音声信号は、リアルタイムで圧縮符号化などの処理を施されそれぞれビデオデータおよびオーディオデータとされ、ハードディスクドライブ８０に書き込まれる。上述したように、書き込みは、４フィールド毎になされる。４フィールド中の最初の１フィールドのビデオデータと、４フィールド分のオーディオデータとが１組とされ書き込まれ記録される（図５Ｃ）。
【００５５】
時点Ａで逆転高速送りキー２１が押される。時点Ａは、このようにフィールド単位で見た場合、例えばハードディスクドライブ８０に対してデータが書き込まれる点から次のデータが書き込まれるまでの４フィールド間の任意の点である。キー２１が押された後の最初の書き込み（オーディオデータｓ24〜ｓ27，ビデオデータｒ24）が終了すると、所定の間隔ｔ’をおいて読み出しが開始される。先ず、直前に書き込まれたデータ、すなわち、オーディオデータｓ24〜ｓ27，ビデオデータｒ24が読み出される（図５Ｄ）。読み出されたデータは、読み出しが終了した直後のフィールドに同期されて再生される（図５Ｅ，図５Ｆ）。
【００５６】
以下、逆転高速送りキー２１が離されるまで、時系列的に逆方向に向かい、所定の間隔でデータが飛び越されて読み出しがなされる。この例では、２つのデータが飛び越され、３倍速度で逆転再生される。
【００５７】
時点Ｂで逆転高速送りキー２１が離される。時点Ｂは、例えばハードディスクドライブ８０からデータが読み出される点から次の読み出しがなされるまでの４フィールド間の任意の点である。キー２１が離された時点Ｂの次の読み出しは、逆転高速送りに基づく読み出しが持続される。この読み出しを開始点として、１倍速再生が開始される。以下、キャンセルキー１９が押されるまで、順次データの読み出しがなされる。
【００５８】
このようにハードディスクドライブ８０に対するアクセスを制御することによって、図５Ｇに示されるように、リアルタイム放送による映像に続けて、高速逆転による映像が映出され、さらに、高速逆転によってサーチされた場面から１倍速再生が開始される。後述する、他の再生方法においても、この制御に倣ってハードディスクドライブ８０の書き込みおよび読み出しが制御される。
【００５９】
図６は、上述の図４に示される例と同様にしてリアルタイム放送を視聴中に、ユーザの要求に応じて映像を遡り、任意の場面からビデオデータおよびオーディオデータを再生した後に、早送りサーチ（高速正転再生）または１倍速を越える速度での再生を行い、再生映像をリアルタイム放送による映像に追い付かせる例である。再生映像がリアルタイム放送による映像に追い付いたら、映像出力を、ハードディスクドライブ８０からの再生映像から、リアルタイム放送による映像へと切り替える。
【００６０】
この場合、上述と同様にして高速逆転再生および１倍速再生がなされた後に、時点Ｃで例えば高速正転再生キー２３が押される。すると、システムコントローラ５０を介して記録／再生コントローラ７７に対して高速正転再生を行うように指示が出される。記録／再生コントローラ７７の制御に基づき、ハードディスクドライブ８０において、高速再生が行われる。
【００６１】
区間ａ1 に続けて、区間ａ2 ，ａ3 ，・・・と連続的に高速再生される（図６Ｂ）。そして、再生映像がリアルタイム放送による映像に追い付くと、スイッチ回路５８および６５が、端子５８Ｂおよび端子６５Ｂから端子５８Ａおよび端子６５Ａへと切り替えられる。この例では、区間ａ5 の高速再生が終了した時点Ｄで映像が追い付き、区間ａ6 でリアルタイム放送による映像に切り替えられる。再生映像がリアルタイム放送による映像に追い付いたかどうかは、例えば書き込みのアドレスと読み出しのアドレスとが近接しているかどうか、あるいは同一であるかどうかで判断することが可能である。
【００６２】
図７は、リアルタイム放送による映像を再生中に映像を一時停止（ポーズ）させ静止画像を表示させ、ポーズが解除された際に、ポーズ映像に後続する映像を続けて再生するようにした例である。時点Ａでリモートコマンダ２の番組ポーズキー１６が押されると、スイッチ回路５８において端子５８Ｂが選択されると共に、ポーズの指定がなされたときにフィールドメモリ８４に書き込まれているビデオデータが繰り返し読み出される。また、ポーズの場合には、システムコントローラ５０によりオーディオアンプ６６が制御され、消音される。
【００６３】
再び番組ポーズキー１６が押されると、ポーズ状態が解除される（時点Ｂ）。ポーズ状態が解除されると、ポーズが指定された時点Ａに後続するデータがハードディスクドライブ８０から順次読み出され再生される。
【００６４】
なお、ポーズ映像の表示は、時点Ａの直前にハードディスクドライブ８０に書き込まれたデータを読み出すことで行ってもよい。読み出されたビデオデータは、画像伸長回路８２および画面処理回路８３を介してフィールドメモリ８４に書き込まれる。そして、ポーズ期間ｔの間、フィールドに同期され、フィールドメモリ８４に書き込まれたこのビデオデータが繰り返し読み出され、再生される。
【００６５】
図８は、ポーズが解除された後、早送りサーチまたは１倍速を越える速度での再生を行い、再生映像をリアルタイム放送による映像に追い付かせる例である。この例では、ポーズが解除された後に、上述の図６を用いて説明した例に倣い、高速正転再生あるいは１倍を越える速度での再生を行い、リアルタイム放送による映像に再生映像が追い付いたら、映像出力を、ハードディスクドライブ８０からの再生映像から、リアルタイム放送による映像へと切り替える。
【００６６】
次に、この実施の一形態による、画面３の表示について説明する。上述したような、ハードディスクドライブ８０からの再生映像を画面３に対して映出させる際に、その旨を何らかの方法によって通知しないと、ユーザは、それと知らずに延々とハードディスクドライブ８０からの再生映像を見続けるおそれがある。ここでは、その通知を画面３に対する表示で以て行う。なお、以下に説明する画面３に対する表示は、システムコントローラ５０の制御に基づき表示発生回路９４で発生され、映像出力回路５９でスイッチ回路５８の出力と合成されるものである。
【００６７】
図９は、画面３の全体に再生映像が映出される場合の例である。図９Ａは、再生映像が映出された画面３の所定の位置に、リアルタイム放送による映像と再生映像との時間差Δｔを、時間差表示１００として文字キャラクタによって表示させた例である。時間差Δｔは、例えばハードディスクドライブ８０から読み出されるデータのアドレスから求めることができる。
【００６８】
図９Ｂは、図９Ａにおいて文字キャラクタによって表示された時間差Δｔを、アイコン１０１および１０２によって表現した例である。アイコン１０１は、現在時刻を表しており、固定的に表示される。アイコン１０２は、画面３に現在表示されている再生映像がハードディスクドライブ８０に書き込まれた時刻を表している。すなわち、アイコン１０１とアイコン１０２との間隔が時間差Δｔとなる。したがって、高速逆転再生が行われている場合やポーズ状態のときには、この間隔は、どんどん広くなる。逆に、高速正転再生や１倍速を越える速度で再生が行われている場合には、この間隔が近づく方向にアイコン１０２が移動する。１倍速再生の場合には、間隔は変化しない。
【００６９】
なお、表示１０３は、時刻の変化を示し、右から左へと移動しているように常に表示が変化する。これは、アイコン１０１と組み合わせて用いることで、時刻が刻々と変化する様子が表現される。また、アイコン１０１および１０２は、図に示されるような単なる記号ではなく、それぞれ意味を持たせたデザインとすると、より好ましい。
【００７０】
図９Ｃは、画面３の最外周に、現在再生映像が映出されていることを示す枠１０４が表示される例である。なお、図９Ａ〜図９Ｃで示した各表示は、リアルタイム放送による映像を表示しているときには、表示されない。また、これら図９Ａ〜図９Ｃにそれぞれ示される表示は、互いに組み合わせることも可能である。
【００７１】
図１０は、ツインピクチャ方式による表示の例である。このツインピクチャ方式では、図１０Ａに示されるように、画面３が主画面３Ａと副画面３Ｂとに分割され、それぞれ異なる映像が表示される。この例では、主画面３Ａにリアルタイム放送による映像が映出され、副画面３Ｂに再生映像が表示される。
【００７２】
図１０Ｂ，図１０Ｃ，図１０Ｄは、上述の図９Ａ，図９Ｂ，図９Ｃにそれぞれ対応するものである。すなわち、図１０Ｂでは、副画面３Ｂに時間差表示１００'が表示される。また、図１０Ｃに示される例では、副画面３Ｂに現在時刻を表すアイコン１０１と再生映像のハードディスクドライブ８０に対する書き込み時刻を表すアイコン１０２とが表示され、さらに時刻の変化を示す表示１０３が表示される。図１０Ｄでは、副画面３Ｂの最外周に、再生映像が表示されていることを示す枠１０４が表示される。
【００７３】
図１１は、ＰＩＰ（ピクチャ・イン・ピクチャ）方式による表示の例である。このＰＩＰ方式では、画面３に対して、親画面３Ｄの中に親画面３Ｄよりサイズの小さな子画面３Ｃが配置される。この例では、親画面３Ｄに対して再生映像が表示され、子画面３Ｃに対してリアルタイム放送による映像が表示される。なお、この表示は逆にすることも可能である。図１１Ｂ，図１１Ｃ，図１１Ｄは、上述の図９Ａ，図９Ｂ，図９Ｃにそれぞれ対応し、このＰＩＰ方式による表示でも、上述と同様に、再生映像が表示される親画面３Ｄに対して、表示された画面が再生映像であることを示す表示がなされる。
【００７４】
なお、これらツインピクチャ方式や、ＰＩＰ方式による表示は、ハードディスクドライブ８０から読み出され再生されたビデオデータと、フィールドメモリ７２から読み出されたビデオデータとを、画面処理回路８３およびフィールドメモリ８４によって合成することによって得られる。
【００７５】
【発明の効果】
以上説明したように、この発明によれば、リアルタイム放送によるオーディオデータおよびビデオデータが常にハードディスクドライブに対して記録されており、記録されたデータを様々な方法で再生することができるようにされている。そのため、リアルタイム放送による番組を見ていて、見逃した場面があったような場合でも、ユーザの見たい任意の場面まで遡って、見逃した場面を見直すことができる効果がある。
【００７６】
同様に、リアルタイム放送による番組をポーズさせ、例えば別の用事を済ませた後に、ポーズを解除しポーズさせた場面に後続する場面を視聴することができるという効果がある。
【００７７】
さらに、この発明によれば、リアルタイム放送による映像、すなわち現在放送されている映像と、ハードディスクドライブから再生された映像との区別を容易に認識できる効果がある。
【００７８】
また、この発明が適用されたテレビジョン受像機を用いることにより、時間に拘束されずにテレビジョン放送を楽しむことができる効果がある。
【図面の簡単な説明】
【図１】この発明の実施の形態を示す略線図である。
【図２】テレビジョン受像機を操作するためのリモートコマンダの構成の一例を示す略線図である。
【図３】この発明が適用されたテレビジョン受像機の構成の一例を示すブロック図である。
【図４】任意の場面からビデオデータおよびオーディオデータを再生して視聴する例を示す略線図である。
【図５】逆転再生を行う場合のディスクアクセスの例について概略的に示す図である。
【図６】再生映像をリアルタイム放送による映像に追い付かせる例を示す略線図である。
【図７】リアルタイム放送による映像をポーズさせ、ポーズ解除後にポーズ映像に後続する映像を続けて再生するようにした例を示す略線図である。
【図８】ポーズが解除された後、再生映像をリアルタイム放送による映像に追い付かせる例を示す略線図である。
【図９】画面の全体に再生映像が映出される場合の、再生映像であることを通知する例を示す略線図である。
【図１０】ツインピクチャ方式を用いた場合の、再生映像であることを通知する例を示す略線図である。
【図１１】ＰＩＰ方式を用いた場合の、再生映像であることを通知する例を示す略線図である。
【図１２】従来技術による、番組を絶えず記録媒体に記録するようなテレビジョン受像機の動作の一例を示す略線図である。
【符号の説明】
１・・・テレビジョン受像機、２・・・リモートコマンダ、３・・・画面、４・・・ハードディスクドライブ部、１６・・・番組ポーズキー、１９・・・キャンセルキー、２１・・・高速逆転再生キー、２３・・・高速正転再生キー、５０・・・システムコントローラ、５８，６５・・・スイッチ回路、７４，８１，９５，９６・・・バッファメモリ、７７・・・記録／再生コントローラ、８０・・・ハードディスクドライブ
【図１】
0004447669.tif 000002
【図２】
0004447669.tif 000003
【図３】
0004447669.tif 000004
【図４】
0004447669.tif 000005
【図５】
0004447669.tif 000006
【図６】
0004447669.tif 000007
【図７】
0004447669.tif 000008
【図８】
0004447669.tif 000009
【図９】
0004447669.tif 000010
【図１０】
0004447669.tif 000011
【図１１】
0004447669.tif 000012
【図１２】
0004447669.tif 000013